(57)【要約】【課題】容易にかつ安価に製造できる回転防止機構を有する丸型切削インサートを提供する。【解決手段】丸型切削インサートは、第１の表面に形成された複数のディンプルと、第１の表面に対向する第２の表面に形成された他の複数のディンプルとを含む。丸型インサートは可逆であり、割出し可能である。丸型切削インサートは、工具本体のインサート収容ポケットに取外し可能に収容される。インサート収容ポケットは、複数のディンプルの１つに収容されることができる単一の突出部を含む。突出部と複数のディンプルのうちの１つとの間の協働により、インサート収容ポケットに取り付けられたときに丸型切削インサートの回転が防止される。複数のディンプルおよび突出部は、スロット、Ｖ字形、ワゴンホイール、スポーツホイール、ピラミッド等のような任意の望ましい相補的な形状であることができる。【選択図】図１
2012206249.tif 000002
【特許請求の範囲】
【請求項１】
丸型の切削インサートであって、
第１の切刃で概して外側方向に終端し、かつ第１の内刃で概して内側方向に終端する第１の外面と、
前記切削インサートを通って軸方向に延在する非円筒状の開口部に向かって、前記第１の内刃から概して内側方向に延在する第１の内面と、
前記第１の内刃と前記開口部との間の前記第１の内面に形成された複数の第１のディンプルと、
第２の切刃で概して外側方向に終端し、かつ第２の内刃で概して内側方向に終端する第２の外面と、
前記第２の内刃から概して内側方向に延在する第２の内面と、
前記第２の内刃と前記開口部との間の前記第２の内面に形成された複数の第２のディンプルと、
前記第１の外面と前記第２の外面との間に延在する概して円形の側部と、を備え、
前記複数の第１のディンプルの１つまたは前記複数の第２のディンプルの１つが、工具本体のインサート収容ポケットの支持面に形成された突出部と協働して、前記切削インサートが前記インサート収容ポケットに取り付けられたときに前記切削インサートの回転を防止する、
丸型切削インサート。
【請求項２】
前記複数の第１のディンプルが、前記第１の内面の周りに周方向に均等に間隔をおいて配置され、前記複数の第２のディンプルが、前記第２の内面の周りに周方向に均等に間隔をおいて配置される、請求項１に記載の丸型切削インサート。
【請求項３】
前記第１の切刃が、前記複数の第１のディンプルの周りに周方向に配置され、前記第２の切刃が、前記複数の第２のディンプルの周りに周方向に配置される、請求項１に記載の丸型切削インサート。
【請求項４】
前記複数の第１のディンプルが、前記複数の第２のディンプルに概して対向している、請求項１に記載の丸型切削インサート。
【請求項５】
前記第１の外面が、前記第１の切刃から前記第１の内刃に向かって傾斜し、前記第２の外面が、前記第２の切刃から前記第２の内刃に向かって傾斜している、請求項１に記載の丸型切削インサート。
【請求項６】
前記第１の外面が平面に納められ、前記第１の内面が、前記第１の外面を納める前記平面に対し非平行の他の平面に納められ、前記第２の外面が平面に納められ、前記第２の内面が、前記第２の外面を納める前記平面に対し非平行の他の平面に納められる、請求項１に記載の丸型切削インサート。
【請求項７】
前記複数の第１のディンプルの各々が、平面に納められた底面を含み、前記第１の切刃が異なる平面に納められ、前記複数の第２のディンプルの各々が、平面に納められた底面を含み、前記第２の切刃が異なる平面に納められる、請求項１に記載の丸型切削インサート。
【請求項８】
前記複数の第１のディンプルが、前記第１の内刃と前記非円筒状の開口部との間の中央に配置され、前記複数の第２のディンプルが、前記第２の内刃と前記非円筒状の開口部との間の中央に配置される、請求項１に記載の丸型切削インサート。
【請求項９】
前記切削インサートが割出し可能である、請求項１に記載の丸型切削インサート。
【請求項１０】
前記切削インサートが可逆である、請求項１に記載の丸型切削インサート。
【請求項１１】
前記複数の第１のディンプル、前記複数の第２のディンプル、および前記突出部の幾何学的なプロフィルが、球状、スロット状、Ｖ字形状、ワゴンホイール状、スポーツホイール状、Ｖ字形状のスロット状およびピラミッド状の幾何的プロフィルのうちの１つである、請求項１に記載の丸型切削インサート。
【請求項１２】
切削工具アセンブリであって、
突出部を有するインサート収容ポケットを有する工具本体と、
前記インサート収容ポケットに収容されたインサートであって、第１の切刃で概して外側方向に終端し、かつ第１の内刃で概して内側方向に終端する第１の外面と、前記切削インサートを通って軸方向に延在する非円筒状の開口部に向かって、前記第１の内刃から概して内側方向に延在する第１の内面と、前記第１の内刃と前記開口部との間の前記第１の内面に形成された複数の第１のディンプルと、前記第１の外面と第２の外面との間に延在する概して円形の側面と、を有する第１の部分を有するインサートとを備え、
前記複数の第１のディンプルの１つが、前記インサート収容ポケットの前記突出部と協働して、前記切削インサートが前記インサート収容ポケットに取り付けられたときに前記インサートの回転を防止する、
切削工具アセンブリ。
【請求項１３】
前記インサートが、第２の切刃で概して外側方向に終端し、かつ第２の内刃で概して内側方向に終端する前記第２の外面と、前記第２の内刃から概して内側方向に延在する第２の内面と、前記第２の内刃と前記開口部との間の前記第２の内面に形成された複数の第２のディンプルと、を有する第２の部分をさらに備え、前記複数の第２のディンプルの１つが、前記インサート収容ポケットの前記突出部と協働して、前記切削インサートが前記インサート収容ポケットに取り付けられたときに前記インサートの回転を防止する、請求項１２に記載の切削工具アセンブリ。
【発明の詳細な説明】
【背景技術】
【０００１】
本発明は、一般に、切削インサートに関し、より詳細には、切削工具の本体に取り付けられた丸型切削インサートの回転を防止するための回転防止機構を有する丸型切削インサートに関する。
【０００２】
例えばフライスのような工具に使用されるインサートは、工具本体の周辺の周りに間隔をおいて配置された相補的形状のポケットに取り付けられる。インサートは、典型的には、インサートの中心に設けられた穴を通って挿入された締め付けねじによって、それらインサートのそれぞれのポケット内に固定される。切削作業中、このようなインサートは、圧縮力及び振動力のみならず、インサートの切刃と被加工物との間の角度に起因する若干のトルクを受けることがしばしばある。丸型でない切削インサートでは、このようなトルクによる、このようなインサートの傾斜側壁と、それらインサートを収容するポケットの相補的形状の壁部との間の締まり型嵌め（ｉｎｔｅｒｆｅｒｅｎｃｅ−ｔｙｐｅ  ｆｉｔ）により、インサートの回転は生じない。
【０００３】
対照的に、このような機械的締まり（ｍｅｃｈａｎｉｃａｌ  ｉｎｔｅｒｆｅｒｅｎｃｅ）は、本来、丸型インサートの円筒状又は切頭円錐状の側壁と、それらインサートを収容するポケットの対応する円形壁部との間には生じないので、丸型インサートはそれらのそれぞれのポケット内で回転することができる。得られる回転により、インサートをそれらのそれぞれのポケット内に固定する締め付けねじが緩み得る。締め付けねじが十分に緩むと、締め付けねじは、包囲するポケット内で、削られるかまたは亀裂が入るほど激しく振動する可能性があり、インサートを破壊するのみならず、被加工物における切削の品質を台無しにする。
【０００４】
丸型インサートの、それらのそれぞれのポケット内での回転を防止するために、複数の突出部の形態をした回転防止機構がインサートの複数の頂面および底面に形成される。このような回転防止機構は、丸型インサートの、それぞれのポケット内におけるその回転を防止するために有効であるが、このような回転防止機構は製造が難しく、そのため、切削工具および丸型インサートの両方のコストを増大させる。
【発明の概要】
【発明が解決しようとする課題】
【０００５】
本発明は、複数の突出部の形態の回転防止機構に関連するコスト増大の問題を解決することを目的とする。
【課題を解決するための手段】
【０００６】
複数の突出部の形態の回転防止機構に関連するコスト増大の問題は、凹部の形態の回転防止機構を有する丸型インサートと、インサートポケットに取り付けられたときに丸型インサートの回転を防止するために、凹部の１つを収容するための突出部を有する、それぞれのインサートポケットとを、設けることによって解決される。
【０００７】
一態様において、丸型切削インサートは、第１の切刃で概して外側方向に終端し、かつ第１の内刃で概して内側方向に終端する第１の外面と、切削インサートを通って軸方向に延在する非円筒状の開口部に向かって、第１の内刃から概して内側方向に延在する第１の内面と、第１の内刃と開口部との間の第１の内面に形成された複数の第１のディンプルと、第２の切刃で概して外側方向に終端し、かつ第２の内刃で概して内側方向に終端する第２の外面と、第２の内刃から概して内側方向に延在する第２の内面と、第２の内刃と開口部との間の第２の内面に形成された複数の第２のディンプルと、第１の外面と第２の外面との間に延在する概して円形の側部と、を備え、複数の第１のディンプルの１つまたは複数の第２のディンプルの１つが、工具本体のインサート収容ポケットの支持面に形成された突出部と協働して、切削インサートがインサート収容ポケットに取り付けられたときに切削インサートの回転を防止する。
【０００８】
他の態様において、切削工具アセンブリは、突出部を有するインサート収容ポケットを有する工具本体と、インサート収容ポケットに収容されたインサートであって、第１の切刃で概して外側方向に終端し、かつ第１の内刃で概して内側方向に終端する第１の外面と、切削インサートを通って軸方向に延在する非円筒状の開口部に向かって、第１の内刃から概して内側方向に延在する第１の内面と、第１の内刃と開口部との間の第１の内面に形成された複数の第１のディンプルと、第１の外面と第２の外面との間に延在する概して円形の側面と、を有する第１の部分を有するインサートとを備え、複数の第１のディンプルの１つが、インサート収容ポケットの突出部と協働して、切削インサートがインサート収容ポケットに取り付けられたときにインサートの回転を防止する。
【図面の簡単な説明】
【０００９】
【図１】本発明の一態様による切削インサートの斜視図である。
【図２】本発明の一態様による図１の切削インサートの頂面図である。
【図３】図２に示した線３−３に沿った切削インサートの断面図である。
【図４】本発明の一態様による図１の切削インサートの底面図である。
【図５】本発明の一態様による図１の切削インサートの側面図である。
【図６】本発明の一態様による切削工具アセンブリの立面図である。
【図７】図６に示した切削工具アセンブリの一部の部分分解図である。
【図８】本発明の他の態様による切削インサートの斜視図である。
【図９】図６に示した切削工具アセンブリおよび図８に示した切削インサートの一部の部分分解図である。
【図１０】本発明の他の態様による切削インサートの斜視図である。
【図１１】図６に示した切削工具アセンブリおよび図１０に示した切削インサートの一部の部分分解図である。
【図１２】本発明の他の態様による切削インサートの斜視図である。
【図１３】図６に示した切削工具アセンブリおよび図１２に示した切削インサートの一部の部分分解図である。
【図１４】本発明の他の態様による切削インサートの斜視図である。
【図１５】図６に示した切削工具アセンブリおよび図１４に示した切削インサートの一部の部分分解図である。
【図１６】本発明の他の態様による切削インサートの斜視図である。
【図１７】図６に示した切削工具アセンブリおよび図１６に示した切削インサートの一部の部分分解図である。
【図１８】本発明の他の態様による切削インサートの斜視図である。
【図１９】図６に示した切削工具アセンブリおよび図１８に示した切削インサートの一部の部分分解図である。
【発明を実施するための形態】
【００１０】
本発明の様々な実施形態が例示されているが、図示した特定の実施形態が特許請求の範囲を限定すると解釈されるべきでない。本発明の範囲から逸脱することなく、様々な変更及び修正をなしてもよいことが予想される。
【００１１】
以下に、工具ホルダのインサートポケットを製造するための方法について図示しかつ説明する。しかし、締結具を特定の用途に適するように構成してもよく、図面の例にのみ限定されないことが指摘される。
【００１２】
同様の参照番号が同様の要素を表している図１と図２を参照すると、本発明の実施形態による切削インサート１０が示されている。切削インサート１０は、第１の部分、つまり頂部部分１２（一般に図１、図２、図３と図５参照）、第２の部分、つまり底部部分１４（一般に図３、図４と図５参照）、および第１の部分１２と第２の部分１４との間に延在する概して円形の側部１６を含む。したがって、切削インサート１０は、被加工物（図示せず）を切削作業を実行するために工具本体の中に配置するために、概して丸型の切削インサートであることが認識される。
【００１３】
図１と図２に示したように、切削工具１０は、第１の切刃２０で概して外側方向に終端し、かつ第１の内刃（ｉｎｎｅｒ  ｅｄｇｅ）２２で概して内側方向に終端する第１の外面１８を含む。一態様において、第１の外面１８は、第１の切刃２０から第１の内刃２２に向かって傾斜している。切削工具１０はまた、切削インサート１０を通って軸方向に延在する非円筒状の開口部２３に向かって、第１の内刃２２から概して内側方向に延在する第１の内面２４を含む。一態様において、第１の外面１８は平面に納めてもよく、第１の内面２４は、第１の外面１８を納める平面に対し非平行の他の平面に納めてもよい。
【００１４】
切削インサート１０は、さらに、複数の第１の丸型の凹み、つまりディンプル２６を含む。一態様において、複数の第１の丸型ディンプル２６は第１の内面２４内に形成される。より具体的には、複数の第１の丸型ディンプル２６は、第１の内刃２２と開口部２３との間の中央に配置されて、工具本体に取り付けられたときに第１の切刃２０に隙間を提供する。他の態様において、複数の第１の丸型ディンプル２６は、第１の内面２４の周りに周方向に均等に間隔をおいて配置される。第１の切刃２０は、複数の第１の丸型ディンプル２６の周りに周方向に配置され、また一態様において、複数の第１の丸型ディンプル２６の各々は、第１の切刃２０の少なくとも一部が異なる平面に納められるように平面に納められた底面２７を含む。複数の第１の丸型ディンプル２６の各々はまた、第１の内面２４と底面２７との間に延在する側壁表面２９を含む。理解され得るとおり、ディンプル２６は丸型プロフィルを有するので、側壁表面２９は湾曲している。図示した実施形態では、切削インサート１０は、合計６個の丸型ディンプル２６を含む。しかし、本発明は、切削インサート１０の寸法に応じて、望ましい任意の数の丸型ディンプルで実施できることが認識されるであろう。
【００１５】
図４は、切削インサート１０の第２の部分、つまり底部部分１４を示している。第２の部分、つまり底部部分１４は、例えば図１と図２に示されている第１の部分、つまり頂部部分１２と本質的に同一であることが認識されるであろう。より具体的には、図４に示したように、切削インサート１０の第２の部分１４は、第２の切刃３０で概して外側方向に終端し、かつ第２の内刃３２で概して内側方向に終端する第２の外面２８を含む。一態様において、第２の外面２８は、第２の切刃３０から第２の内刃３２に向かって傾斜している。切削工具１０はまた、切削インサート１０を通って軸方向に延在する開口部２３に向かって、第２の内刃３２から概して内側方向に延在する第２の内面３４を含む。一態様において、第２の外面２８は平面に納めてもよく、第２の内面３４は、第２の外面２８を納める平面に対し非平行の他の平面に納めてもよい。
【００１６】
切削インサート１０は、さらに、複数の第２の丸型ディンプル３６を含む。一態様において、複数の第２の丸型ディンプル３６は第２の内面３４内に形成される。より具体的には、複数の第２の丸型ディンプル３６は、第２の内刃３２と開口部２３との間の中央に配置される。他の態様において、複数の第２の丸型ディンプル３６は、第２の内面３４の周りに周方向に均等に間隔をおいて配置される。第２の切刃３０は、複数の第２の丸型ディンプル３６の周りに周方向に配置され、また一態様において、複数の第２の丸型ディンプル３６の各々は、第２の切刃３０の少なくとも一部が異なる平面に納められるように平面に納められた底面３７を含む。複数の第２の丸型ディンプル３６の各々はまた、第２の内面３４と底面３７との間に延在する側壁表面３９を含む。理解され得るとおり、ディンプル３６は丸型プロフィルを有するので、側壁表面３９は湾曲している。図示した実施形態では、切削インサート１０は、合計６個の丸型ディンプル３６を含む。しかし、本発明は、切削インサート１０の寸法に応じて、望ましい任意の数の丸型ディンプルで実施できることが認識されるであろう。
【００１７】
次に図６と図７を参照すると、複数の切削インサート１０が工具本体４０に取り付けられている切削工具アセンブリが示されている。より具体的には、切削インサート１０は、工具本体４０のインサート収容ポケット４２に取り外し可能に取り付けられる。インサート収容ポケット４２は側壁４４および支持面４６を含む。切削インサート１０の概して円形の側部１６は、側壁４４に隣接するインサート収容ポケット４２に収容される。さらに、切削インサート１０の第１の内面２４または第２の内面３４の一方は、インサート収容ポケット４２の支持面４６に収容されかつ支持される。
【００１８】
一態様において、切削インサート１０の第１の内面２４または第２の内面３４の一方は、インサート収容ポケット４２の支持面４６に収容されかつ支持される。より具体的には、支持面４６は、複数の第１の丸型ディンプル２６の１つまたは複数の第２の丸型ディンプル３６の１つと噛み合いかつ協働するための支持面４６に形成された単一の丸型の隆起、つまり突出部４８を含む。一態様において、丸型突出部４８は、隆起したプロフィル突出部を作るために支持面４６に形成される。
【００１９】
丸型突出部４８が複数の第１の丸型ディンプル２６の１つに収容される場合、第２の切刃３０は、切削作業を実行するために配置されることが認識されるであろう。同様に、丸型突出部４８が複数の第２の丸型ディンプル３６の１つに収容される場合、第１の切刃２０は、切削作業を実行するために配置される。したがって、切削インサート１０は可逆であり、切削インサート１０の作業寿命がより長くなるよう、第１の切刃２０および第２の切刃３０を提供することが認識されるであろう。
【００２０】
締結ねじ５０は、切削インサート１０の開口部２３を通って延在し、インサート収容ポケット４２の締結穴５２に収容されるために設けられる。締結ねじ５０は、インサート１０を工具本体４０に取り外し可能に固定できるようにし、より詳細には、切削インサート１０を工具本体４０のインサート収容ポケット４２に取り外し可能に固定できるようにする。
【００２１】
本明細書に記載したように、複数の第１のディンプル２６または複数の第２のディンプル３６の１つは、インサート収容ポケット４２の突出部４８に収容される。インサート収容ポケット４２に切削インサート１０を固定するために、締結ねじ５０が配置されると、複数の第１のディンプル２６または複数の第２のディンプル３６の１つと、突出部４８との間の協働により、突出部４８が対応する複数のディンプル２６、３６の１つに収容されるため、インサート１０の回転が防止される。有利には、切削インサート１０は、したがって、切削作業中にインサート収容ポケット４２内で回転することが不可能であり、したがって、本発明の回転防止機構を提供する。
【００２２】
さらに、各々のディンプル２６の側壁２９は突出部４８の側壁４９と協働する。同様に、複数の第２のディンプル３６の各々は、突出部４８の側壁４９と協働するための側壁３９を含む。有利には、この構成により、インサート収容ポケット４２に取り付けられたときに切削インサート１０の回転がさらに防止される。
【００２３】
本発明の他の態様によれば、切削インサート１０は、第１の切刃２０または第２の切刃３０の両方のために割出し可能である。例えば、第１の切刃２０または第２の切刃３０の一部が使用されると、締結ねじ５０を緩めることができ、第１の丸型ディンプル２６または第２の丸型ディンプル３６が丸型突出部４８から取り除かれるように、切削インサート１０を持ち上げることができ、次に、切削インサート１０をひねる（ｔｕｒｎｅｄ）かまたは回転させることができ、第１の丸型ディンプル２６または第２の丸型ディンプル３６を丸型突出部４８内に再挿入することができ、続いて締結ねじ５０が同様に再挿入される。複数の第１の丸型ディンプル２６または複数の第２の丸型ディンプル３６を設けることによって、ユーザは、切削インサート１０の割出しの間の切削インサートの回転数を容易に特定することができる。ユーザが複数の第１の丸型ディンプル２６の１つ、または複数の第２の丸型ディンプル３６の１つを、正確に丸型突出部４８内に配置することを可能にするために、第１の丸型ディンプル２６が第２の丸型ディンプル３６に概して対向していることが認識されるであろう。
【００２４】
複数の突出部または他の機構よりもむしろ単一の突出部４８により、従来のインサートポケットと比較してはるかに容易かつ廉価なインサート収容ポケット４２の製造が可能になることが認識されるであろう。さらに、切削インサート１０がインサート収容ポケット４２に適切に着座しない場合、単一の突出部４８により、切削インサート１０がはるかにより持ち上げられ、これによって、本発明の誤差補正機構（ｅｒｒｏｒ  ｃｏｒｒｅｃｔｉｏｎ  ｆｅａｔｕｒｅ）が提供される。
【００２５】
本発明は、丸型または球形の幾何学的なプロフィルを有する複数の第１のディンプル２６、複数の第２のディンプル３６および突出部４８によって限定されず、また切削インサートの回転防止機構の幾何学的なプロフィルが、インサート収容ポケットの回転防止機構の幾何学的なプロフィルと協働できる限り、本発明は、任意の望ましい幾何学的なプロフィルを有する切削インサート１０で実施できることが認識されるであろう。
【００２６】
例えば、複数の第１のディンプル２６、複数の第２のディンプル３６、およびインサート収容ポケット４２の突出部４８は、図８と図９に示したようなスロット状の幾何的なプロフィルを有することができる。この例では、スロット状のプロフィルを有する複数の第１のディンプル２６および複数の第２のディンプル３６は、相補的なスロット状のプロフィルを有するインサート収容ポケット４２の単一の突出部４８と協働して、インサート収容ポケット４２に取り付けられたときに切削インサート１０の回転を防止する。
【００２７】
他の例では、複数の第１のディンプル２６、複数の第２のディンプル３６、およびインサート収容ポケット４２の突出部４８は、図１０と図１１に示したようなＶ字形状の幾何的プロフィルを有することができる。この例では、Ｖ字形状のプロフィルを有する複数の第１のディンプル２６および複数の第２のディンプル３６は、相補的なＶ字形状のプロフィルを有するインサート収容ポケット４２の単一の突出部４８と協働して、インサート収容ポケット４２に取り付けられたときに切削インサート１０の回転を防止する。
【００２８】
さらに他の例では、複数の第１のディンプル２６、複数の第２のディンプル３６、およびインサート収容ポケット４２の突出部４８は、図１２と図１３に示したようなワゴンホイール状（ｗａｇｏｎ  ｗｈｅｅｌ）の幾何的なプロフィルを有することができる。この例では、ワゴンホイール状のプロフィルを有する複数の第１のディンプル２６および複数の第２のディンプル３６は、相補的なワゴンホイール状のプロフィルを有するインサート収容ポケット４２の単一の突出部４８と協働して、インサート収容ポケット４２に取り付けられたときに切削インサート１０の回転を防止する。この例では、複数の第１および第２のディンプル２６、３６は、第１及び第２の内刃２２、３２の間の中央に配置されず、複数の第１および第２のディンプル２６、３６の一部が非円形の開口部２３と密接するように、非円形の開口部２３に近接して配置されることが指摘される。
【００２９】
なおさらに他の例では、複数の第１のディンプル２６、複数の第２のディンプル３６、およびインサート収容ポケット４２の突出部４８は、図１４と図１５に示したようなスポーツホイール状（ｓｐｏｒｔｓ  ｗｈｅｅｌ）の幾何的なプロフィルを有することができる。この例では、スポーツホイール状のプロフィルを有する複数の第１のディンプル２６および複数の第２のディンプル３６は、相補的なスポーツホイール状のプロフィルを有するインサート収容ポケット４２の単一の突出部４８と協働して、インサート収容ポケット４２に取り付けられたときに切削インサート１０の回転を防止する。この例では、複数の第１および第２のディンプル２６、３６は、第１及び第２の内刃２２、３２の間の中央に配置されず、複数の第１および第２のディンプル２６、３６の一部が第１及び第２の内刃２２、３２とそれぞれ密接するように、第１及び第２の内刃２２、３２に近接して配置されることが指摘される。
【００３０】
さらに他の例では、複数の第１のディンプル２６、複数の第２のディンプル３６、およびインサート収容ポケット４２の突出部４８は、図１６と図１７に示したようなＶ字形状のスロット状の幾何的プロフィルを有することができる。この例では、Ｖ字形状のスロット状のプロフィルを有する複数の第１のディンプル２６および複数の第２のディンプル３６は、相補的なＶ字形状のスロット状のプロフィルを有するインサート収容ポケット４２の単一の突出部４８と協働して、インサート収容ポケット４２に取り付けられたときに切削インサート１０の回転を防止する。この例では、複数の第１および第２のディンプル２６、３６は、第１及び第２の内刃２２、３２の間の中央に配置されず、複数の第１および第２のディンプル２６、３６の一部が非円形の開口部２３と密接するように、非円形の開口部２３に近接して配置されることが指摘される。
【００３１】
なおさらに他の例では、複数の第１のディンプル２６、複数の第２のディンプル３６、およびインサート収容ポケット４２の突出部４８は、図１８と図１９に示したようなピラミッド状の幾何的なプロフィルを有することができる。この例では、ピラミッド状のプロフィルを有する複数の第１のディンプル２６および複数の第２のディンプル３６は、相補的なピラミッド状のプロフィルを有するインサート収容ポケット４２の単一の突出部４８と協働して、インサート収容ポケット４２に取り付けられたときに切削インサート１０の回転を防止する。
【００３２】
上述の各々の例では、複数の第１および第２のディンプル２６、３６の幾何学的プロフィルは、インサート収容ポケット４２に取り付けられたときに突出部４８が複数のディンプル２６、３６の１つに収容されることができるように、インサート収容ポケット４２の支持面４６の単一の突出部４８に対し相補的である。さらに、上述の単一の突出部４８の様々な幾何学的なプロフィルは、加工作業中に生じた切りくずが突出部４８の上方を容易に流れることを可能にし、切りくずの詰まりを防止する。さらに、上述の単一の突出部４８の様々な幾何学的なプロフィルは、突出部４８を機械加工するための隙間を提供し、これによって、インサート収容ポケットの製造に関するコストを低減する。
【００３３】
本明細書で言及した特許及び文献は、参照により本出願に組み込まれる。
【００３４】
本発明の好ましい実施形態について説明してきたが、本発明は、添付の特許請求の範囲内で他の方法で具体化してもよい。
【符号の説明】
【００３５】
１０  切削インサート
１２  第１の部分
１４  第２の部分
１６  円形側部
１８  第１の外面
２０  第１の切刃
２２  第１の内刃
２３  非円筒状の開口部
２４  第１の内面
２６  第１の丸型ディンプル
２７  底面
２８  第２の外面
２９  側壁表面
３０  第２の切刃
３２  第２の内刃
３４  第２の内面
３６  第２の丸型ディンプル
３７  底面
３９  側壁表面
４０  工具本体
４２  インサート収容ポケット
４４  側壁
４６  支持面
４８  丸型突出部
４９  側壁
５０  締結ねじ
５２  締結穴
【図１】
2012206249.tif 000003
【図２】
2012206249.tif 000004
【図３】
2012206249.tif 000005
【図４】
2012206249.tif 000006
【図５】
2012206249.tif 000007
【図６】
2012206249.tif 000008
【図７】
2012206249.tif 000009
【図８】
2012206249.tif 000010
【図９】
2012206249.tif 000011
【図１０】
2012206249.tif 000012
【図１１】
2012206249.tif 000013
【図１２】
2012206249.tif 000014
【図１３】
2012206249.tif 000015
【図１４】
2012206249.tif 000016
【図１５】
2012206249.tif 000017
【図１６】
2012206249.tif 000018
【図１７】
2012206249.tif 000019
【図１８】
2012206249.tif 000020
【図１９】
2012206249.tif 000021